(57)【要約】【課題】  再生対象のコンテンツデータを特定するリストを生成するにあたり、ユーザの利便性を向上させる。【解決手段】  表示装置と通信可能な情報端末のコンピュータに、記憶領域に格納されているコンテンツデータのうち、選択されたコンテンツデータの識別情報の一覧７２０を表示する表示手順と、前記記憶領域に新たにコンテンツデータが格納されたことが認識されると、該新たに格納されたコンテンツデータの識別情報を、前記一覧７２０の端部位置に追加表示する追加表示手順とを実行させることを特徴とする。【選択図】図１２
2015035768.tif 000002
【特許請求の範囲】
【請求項１】
表示装置と、該表示装置と通信可能な情報端末と、を含む再生システムであって、
前記情報端末は、
記憶領域に格納されているコンテンツデータのうち、選択されたコンテンツデータの識別情報の一覧を表示する表示手段と、
前記記憶領域に新たにコンテンツデータが格納されたことが認識されると、該新たに格納されたコンテンツデータの識別情報を、前記一覧の端部位置に追加表示する追加表示手段と、を有し、
前記表示装置は、
前記追加表示された識別情報を含む前記一覧に対応するコンテンツデータを再生することを特徴とする再生システム。
【請求項２】
表示装置と、再生制御プログラムと、を含む再生制御システムであって、
前記再生制御プログラムは、前記表示装置と通信する情報端末のコンピュータに、
記憶領域に格納されているコンテンツデータのうち、選択されたコンテンツデータの識別情報の一覧を表示する表示手順と、
前記記憶領域に新たにコンテンツデータが格納されたことが認識されると、該新たに格納されたコンテンツデータの識別情報を、前記一覧の端部位置に追加表示する追加表示手順と、を実行させ、
前記表示装置は、
前記追加表示された識別情報を含む前記一覧に対応するコンテンツデータを再生することを特徴とする再生システム。
【請求項３】
表示装置と通信可能な情報端末であって、
記憶領域に格納されているコンテンツデータのうち、選択されたコンテンツデータの識別情報の一覧を表示する表示手段と、
前記記憶領域に新たにコンテンツデータが格納されたことが認識されると、該新たに格納されたコンテンツデータの識別情報を、前記一覧の端部位置に追加表示する追加表示手段と
を有することを特徴とする情報端末。
【請求項４】
情報端末と通信可能な表示装置であって、
記憶領域に格納されているコンテンツデータのうち、選択されたコンテンツデータの識別情報の一覧を表示し、かつ、新たに格納されたコンテンツデータの識別情報を、該一覧の端部位置に追加表示する前記情報端末より、該追加表示された識別情報を含む該一覧に対応するコンテンツデータを受信する受信手段と、
前記情報端末より受信したコンテンツデータを再生する再生手段と
を有することを特徴とする表示装置。
【請求項５】
表示装置と通信可能な情報端末のコンピュータに、
記憶領域に格納されているコンテンツデータのうち、選択されたコンテンツデータの識別情報の一覧を表示する表示手順と、
前記記憶領域に新たにコンテンツデータが格納されたことが認識されると、該新たに格納されたコンテンツデータの識別情報を、前記一覧の端部位置に追加表示する追加表示手順と
を実行させることを特徴とする再生制御プログラム。
【請求項６】
前記一覧を表示するモードから、撮影によりコンテンツデータを取得するモードへと移行した場合において、撮影により取得されたコンテンツデータが、前記記憶領域に新たに格納されたことが認識されると、該新たに格納されたコンテンツデータの識別情報が、前記一覧の端部位置に追加表示されることを特徴とする請求項５に記載の再生制御プログラム。
【請求項７】
前記一覧を表示するモードにおいて、前記記憶領域に新たに格納されたことが認識されると、該新たに格納されたコンテンツデータの識別情報が、前記一覧の端部位置に追加表示されることを特徴とする請求項５または６に記載の再生制御プログラム。
【請求項８】
前記記憶領域に新たにコンテンツデータが格納されたことが認識され、かつ、該新たに格納されたコンテンツデータの識別情報を表示する指示が入力された場合に、該新たに格納されたコンテンツデータの識別情報が、前記一覧の端部位置に追加表示されることを特徴とする請求項５乃至７のいずれか１項に記載の再生制御プログラム。
【請求項９】
前記新たに格納されたコンテンツデータの識別情報は、前記一覧の先端位置または末端位置のいずれかに表示されることを特徴とする請求項５乃至８のいずれか１項に記載の再生制御プログラム。
【請求項１０】
前記コンピュータに、更に、
前記記憶領域に格納されているコンテンツデータの識別情報の一覧を表示する手順と、
前記新たに格納されたコンテンツデータの識別情報を、前記記憶領域に格納されているコンテンツデータの識別情報の一覧の端部位置に追加表示する手順と、
を実行させることを特徴とする請求項５乃至９のいずれか１項に記載の再生制御プログラム。
【請求項１１】
表示装置と、該表示装置と通信可能な情報端末と、を含む再生システムによる再生制御方法であって、
前記情報端末が、
記憶領域に格納されているコンテンツデータのうち、選択されたコンテンツデータの識別情報の一覧を表示する表示手順と、
前記記憶領域に新たにコンテンツデータが格納されたことが認識されると、該新たに格納されたコンテンツデータの識別情報を、前記一覧の端部位置に追加表示する追加表示手順と、を実行し、
前記表示装置が、
前記追加表示された識別情報を含む前記一覧に対応するコンテンツデータを再生することを特徴とする再生制御方法。
【発明の詳細な説明】
【技術分野】
【０００１】
本発明は、再生制御技術に関するものであり、特に、再生システム、再生制御システム、情報端末、表示装置、再生制御プログラム及び再生制御方法に関するものである。
【背景技術】
【０００２】
従来より、再生順序を指定するプレイリストファイルを用いて、画像データ等のコンテンツデータを再生する再生制御技術が知られている（例えば、特許文献１参照）。
【０００３】
当該特許文献によれば、コンテンツデータを撮影するための撮影モード中であっても、プレイリストモードに移行し、プレイリストファイルの内容をサムネイル画像の一覧として確認することができる。また、プレイリストモード中に表示されたサムネイル画像の一覧に対して、所望の挿入位置を指定しておくことで、撮影モードに移行した後に新たに撮影したコンテンツデータを当該位置に自動的に挿入させることができる。
【発明の概要】
【発明が解決しようとする課題】
【０００４】
しかしながら、上記特許文献の場合、撮影したコンテンツデータがプレイリストファイル内の指定した位置に挿入されたことを確認するためには、撮影後に、プレイリストモードに移行し、サムネイル画像の一覧を表示させる操作を行う必要があった。
【０００５】
更に、プレイリストモードにて一覧表示されたサムネイル画像の中から、指定した挿入位置を見つけ出すことで、撮影したコンテンツデータのサムネイル画像を確認する必要があった。
【０００６】
一方で、プレイリストファイルのような、再生対象のコンテンツデータを特定するリストを生成するにあたっては、コンテンツデータを新たに取得するたびに、直ちにリストの内容を確認できる構成であることが望ましい。
【０００７】
本発明は、上記事情を鑑みてこれを解決すべく為されたものであり、ユーザの利便性を向上させることを目的とする。
【課題を解決するための手段】
【０００８】
本発明は、上記目的を達成すべく以下の如き構成を採用した。即ち、
表示装置と、該表示装置と通信可能な情報端末と、を含む再生システムであって、
前記情報端末は、
記憶領域に格納されているコンテンツデータのうち、選択されたコンテンツデータの識別情報の一覧を表示する表示手段と、
前記記憶領域に新たにコンテンツデータが格納されたことが認識されると、該新たに格納されたコンテンツデータの識別情報を、前記一覧の端部位置に追加表示する追加表示手段と、を有し、
前記表示装置は、
前記追加表示された識別情報を含む前記一覧に対応するコンテンツデータを再生することを特徴とする。
【発明の効果】
【０００９】
本発明の実施形態によれば、ユーザの利便性を向上させることが可能になる。
【図面の簡単な説明】
【００１０】
【図１】実施形態に係る再生システムのシステム構成の一例を示す図である。
【図２】再生システムの利用シーンの一例を説明する図である。
【図３】再生システムが有する各装置のハードウェア構成の一例を示す図である。
【図４】再生システムが有する各装置の機能構成の一例を示す図である。
【図５】再生システムの動作を説明するシーケンス図である。
【図６】実施形態に係る再生制御プログラムの動作モードを説明するための図である。
【図７】各動作モードで起動した場合の表示画面の一例を示す図である。
【図８】再生コンテンツデータ生成モードの表示画面を構成する第１の表示領域の表示内容と、記憶領域との関係を示す図である。
【図９】再生コンテンツデータ生成モードの表示画面における、コンテンツデータを選択するための選択操作及びコンテンツデータの選択を解除するための選択解除操作を説明するための図である。
【図１０】再生コンテンツデータ生成モード中の第１の表示領域の表示制御処理の流れを示すフローチャートである。
【図１１】再生コンテンツデータ生成モード中の第２の表示領域の表示制御処理の流れを示すフローチャートである。
【図１２】動作モードの移行に伴う表示画面の遷移を示す図である。
【図１３】撮影モード終了時の第１の表示領域の表示制御処理の流れを示すフローチャートである。
【図１４】撮影モード終了時の第２の表示領域の表示制御処理の流れを示すフローチャートである。
【図１５】撮影モード終了時の表示画面の遷移を示す図である。
【図１６】再生コンテンツデータ生成モード中に、コンテンツデータが追加された場合の表示画面の遷移を示す図である。
【図１７】再生コンテンツデータ生成モード中の第１の表示領域の表示制御処理（割り込み処理）の流れを示すフローチャートである。
【図１８】再生コンテンツデータ生成モード中の第２の表示領域の表示制御処理（割り込み処理）の流れを示すフローチャートである。
【発明を実施するための形態】
【００１１】
以下、図面を参照しながら、本発明の各実施形態について説明する。なお、以下の各実施形態に係る再生制御技術は、例えば、情報端末と表示装置とを有する再生システムにおいて実現される。具体的には、情報端末が、コンテンツデータの再生に関する情報である再生制御情報を生成し、コンテンツデータとともに表示装置に送信することで、表示装置にて当該再生制御情報に基づきコンテンツデータを再生する再生システムにおいて実現される。以下、当該再生システムについて詳説したうえで、当該再生システムにおいて実現される各実施形態に係る再生制御技術の詳細について説明する。
【００１２】
［第１の実施形態］
＜再生システムのシステム構成＞
はじめに、本実施形態に係る再生制御技術が実現される再生システムのシステム構成について説明する。図１は、本実施形態に係る再生システム１００のシステム構成の一例を示す図である。
【００１３】
再生システム１００は、本実施形態に係る情報端末２００と表示装置３００とを有する。再生システム１００において、情報端末２００と表示装置３００とはネットワーク等のデータ伝送路Ｎを介して通信可能に接続されている。
【００１４】
情報端末２００は、例えば３Ｇ（3rd Generation）、ＬＴＥ（Long Term Evolution）、４Ｇ（4th Generation）等の規格に準ずる通信方式により通信を行うよう構成されている。ただし、情報端末２００は、例えばＺｉｇＢｅｅやＢｌｕｅｔｏｏｔｈ（登録商標）等に準ずる通信方式により通信を行う構成であってもよい。
【００１５】
情報端末２００は、例えばスマートフォンや携帯電話等の無線通信端末であっても、あるいはタブレットＰＣ（Personal Computer）やノート型ＰＣであってもよく、表示装置３００と通信を行うことができる機器であれば何でもよい。
【００１６】
情報端末２００には、本実施形態に係る再生制御プログラム２１０がインストールされている。情報端末２００は、再生制御プログラム２１０を実行することにより、表示装置３００に表示するコンテンツデータについて再生制御情報を生成し、コンテンツデータと再生制御情報とを表示装置３００に送信する。
【００１７】
本実施形態に係る表示装置３００には、再生プログラム３１０がインストールされている。表示装置３００は、再生プログラム３１０を実行することにより、情報端末２００から送信されたコンテンツデータを、再生制御情報に基づいて再生する。
【００１８】
表示装置３００は、情報端末２００から送信された再生制御情報に基づきコンテンツデータを表示する表示機能を有していればよく、例えばプロジェクタやディスプレイ等の機器であればよい。
【００１９】
なお、本実施形態の説明では、表示装置３００が再生制御情報にしたがってコンテンツデータを表示することを、コンテンツデータを再生する、と表現する。
【００２０】
また、本実施形態の説明におけるコンテンツデータには、例えば、画像（静止画）データや動画データ等が含まれる。また、コンテンツデータとなる画像データは、例えば１枚の画像からなる画像データであってもよいし、複数枚の画像からなる画像データ群であってもよい。すなわち、本実施形態の説明におけるコンテンツデータは、表示装置３００にて再生させることが可能なデータであればよい。
【００２１】
なお、以下の本実施形態の説明では、表示装置３００にて再生されるコンテンツデータを再生コンテンツデータと呼び、それ以外の、例えば所定の記憶領域に格納されているコンテンツデータを単にコンテンツデータと呼ぶ。
【００２２】
＜再生システムの利用シーンの説明＞
次に、図２を参照しながら、再生システム１００の利用シーンについて説明する。図２は、再生システム１００の利用シーンの一例を説明する図である。
【００２３】
図２の例では、情報端末２００としてスマートフォン又はタブレットＰＣを用い、表示装置３００としてプロジェクタ３０１とスクリーン３０２とを用いた再生システム１００を示している。なお、当該再生システム１００は、例えば電子看板（Digital Signage）として利用することができる。
【００２４】
情報端末２００では、ユーザにより、コンテンツデータが選択されると、再生コンテンツデータを生成する。また、再生コンテンツデータの再生の仕方が設定されると、この設定に基づき、再生コンテンツデータについての再生制御情報を生成する。そして情報端末２００では、再生コンテンツデータと再生制御情報とをプロジェクタ３０１に送信する。プロジェクタ３０１は、受信した再生コンテンツデータを記憶部３２（後述）に格納し、再生制御情報に従って再生コンテンツデータを再生する。
【００２５】
このように、再生システム１００によれば、ユーザは、再生コンテンツデータと再生制御情報とを、１度、情報端末２００から表示装置３００に送信すれば、当該再生コンテンツデータを所望の設定通りに継続して再生させることができる。
【００２６】
すなわち、再生システム１００を電子看板等に利用した場合、所望する再生コンテンツデータが自動的に行われるため、ユーザは再生コンテンツデータの表示順序や表示の切り替え等に関する設定を、その都度行う必要がなくなる。
【００２７】
＜再生システムのハードウェア構成＞
次に図３を参照して再生システム１００が有する各装置のハードウェア構成を説明する。図３は、再生システム１００が有する各装置（情報端末２００、表示装置３００）のハードウェア構成の一例を示す図である。
【００２８】
本実施形態に係る情報端末２００は、ＣＰＵ（Central Processing Unit）２１、記憶部２２、入力部２３、外部インターフェース部２４、撮影部２９、ネットワーク制御部２５、出力部２６、ドライバ２７を有する。なお、これらの要素はバスＢ１を介して相互に接続されている。
【００２９】
ＣＰＵ２１は、情報端末２００の各種動作を制御するコンピュータである。記憶部２２は、情報端末２００の動作や演算に係る各種情報、情報端末２００で実行される、再生制御プログラム２１０をはじめとする各種プログラム等を格納する。入力部２３は、各種信号や情報を入力するために用いられる。入力部２３は、例えばタッチパネル等の表示機能を有していてもよい。なお、入力部２３は、例えばポインティングデバイスやキーボード等であってもよい。
【００３０】
外部インターフェース部２４は、例えばＵＳＢ（Universal Serial Bus）メモリスロットやＮＦＣ（Near field communication）等である。ネットワーク制御部２５は、モデム、ＬＡＮカード等を含み、ネットワークに接続するために用いられる。
【００３１】
撮影部２９は、被写体を撮影する撮影機能を有する。撮影部２９により撮影された画像（静止画）データや動画データ等のコンテンツデータは、出力部２６において表示されたり、記憶部２２に格納されたりする。
【００３２】
出力部２６は、情報端末２００から外部に各種情報を出力するために用いられる。出力部２６は、例えばディスプレイ等であってもよいし、外部装置へ各種データを送信する送信部であってもよい。
【００３３】
なお、本実施形態に係る再生制御プログラム２１０は、情報端末２００を制御する各種プログラムの少なくとも一部であり、例えば、記録媒体２８の配布やネットワークからのダウンロードなどによって提供される。
【００３４】
ここで、再生制御プログラム２１０が格納された記録媒体２８は、表示装置３００と組み合わせ、再生制御システムとしてユーザに提供されうる。あるいは、表示装置３００とは別個に（つまり、再生制御プログラム２１０が格納された記録媒体２８のみが単独で、あるいは再生制御プログラムのみが単独でダウンロードされることで）ユーザに提供されてもよい。無論、情報端末２００にはじめからインストールされた状態で、情報端末２００として、ユーザに提供されてもよい。
【００３５】
再生制御プログラム２１０を記録した記録媒体２８には、ＣＤ−ＲＯＭ、フレキシブルディスク、光磁気ディスク等のように情報を光学的，電気的或いは磁気的に記録する記録媒体を用いることができる。あるいは、ＲＯＭ、フラッシュメモリ等のように情報を電気的に記録する半導体メモリ等の記録媒体を用いることができる。
【００３６】
再生制御プログラム２１０を記録した記録媒体２８がドライバ２７にセットされると、再生制御プログラム２１０は記録媒体２８からドライバ２７を介して記憶部２２にインストールされる。ネットワークからダウンロードされる場合にあっては、再生制御プログラム２１０は、ネットワーク制御部２５を介して記憶部２２にインストールされる。
【００３７】
記憶部２２は、インストールされた再生制御プログラム２１０をはじめとする各種プログラムを格納すると共に、必要なファイル、データ等を格納する。ＣＰＵ２１は記憶部２２に格納された再生制御プログラム２１０に従って、後述するような各種処理（第１表示制御部による表示制御処理、第２表示制御部による表示制御処理等）を実現する。
【００３８】
表示装置３００は、それぞれがバスＢ２を介して相互に接続されているＣＰＵ３１、記憶部３２、入力部３３、外部インターフェース部３４、ネットワーク制御部３５、表示部３６、ドライバ３７を有する。
【００３９】
ＣＰＵ３１は、表示装置３００の各種動作を制御するコンピュータである。記憶部３２は、表示装置３００の動作や演算に係る各種情報や、表示装置３００で実行される再生プログラム３１０をはじめとする各種プログラム、表示装置３００で再生される再生コンテンツデータ等を格納する。入力部３３は、各種信号や情報を入力するために用いられる。入力部３３は、例えば表示装置３００を操作する操作部材等である。
【００４０】
外部インターフェース部３４は、例えば、ＵＳＢ（Universal Serial Bus）メモリスロットやＮＦＣ（Near field communication）等である。ネットワーク制御部３５は、表示装置３００のネットワークへの接続を制御する。表示部３６は、表示装置３００が再生指示を受けた再生コンテンツデータを再生する。
【００４１】
再生プログラム３１０は、表示装置３００を制御する各種プログラムの少なくとも一部である。再生プログラム３１０は、例えば、記録媒体３８の配布やネットワークからのダウンロードなどによって提供される。
【００４２】
再生プログラム３１０を記録した記録媒体３８がドライバ３７にセットされると、再生プログラム３１０は記録媒体３８からドライバ３７を介して記憶部３２にインストールされる。また、ネットワークからダウンロードされた場合にあっては、再生プログラム３１０は、ネットワーク制御部３５を介して記憶部３２にインストールされる。
【００４３】
記憶部３２は、インストールされた再生プログラム３１０を格納するとともに、必要なファイルや再生コンテンツデータ等のデータを格納する。ＣＰＵ３１は記憶部３２に格納された再生プログラム３１０に従って、後述するような各種処理を実現する。
【００４４】
＜再生システムの機能構成＞
次に、図４を参照して、再生システム１００が有する各装置（情報端末２００、表示装置３００）の機能構成について説明する。図４は、再生システム１００が有する各装置（情報端末２００、表示装置３００）の機能構成の一例を示す図である。
【００４５】
本実施形態に係る情報端末２００は、記憶部２２に所定の記憶領域２２０が設けられている。ただし、記憶領域２２０は、必ずしも記憶部２２に設けられている必要はなく、また、情報端末２００内に設けられている必要もない。
【００４６】
記憶領域２２０には、例えば、コンテンツデータ２２１と、設定項目情報２２２とが格納されている。コンテンツデータ２２１は、例えば、表示装置３００にて再生することが可能なデータであり、例えば画像（静止画）データや動画データ等である。設定項目情報２２２は、再生制御情報を生成するにあたり、ユーザにより設定される項目を示す情報である。
【００４７】
なお、設定項目情報２２２には、例えば、"Ｏｒｄｅｒ"、"Ｔｉｍｅ"、"Ｅｆｆｅｃｔ"等の項目が含まれる。項目"Ｏｒｄｅｒ"とは、再生コンテンツデータ３３１の再生順序に関する情報を設定する項目であり、例えば、コンテンツデータ２２１の識別情報の一覧画面で選択された選択順序に従って再生するか、ランダムに再生するか、等を設定する項目である。
【００４８】
項目"Ｔｉｍｅ"とは、再生コンテンツデータ３３１の再生時間を設定する項目である。項目"Ｅｆｆｅｃｔ"とは、再生コンテンツデータ３３１の表示の切り替え方法を設定する項目であり、"フェードイン"や"プッシュ"、"ワイプ"等が設定される。
【００４９】
なお、"フェードイン"とは、再生コンテンツデータの切り替え時に、次の再生コンテンツデータ３３１が徐々に明確になるように表示する切り替え方法である。"プッシュ"とは、例えば、表示されている再生コンテンツデータを左右のどちらかに押し出すようにして、次の再生コンテンツデータを表示する切り替え方法である。また、"ワイプ"とは、表示されている再生コンテンツデータを拭き取るようにして次の再生コンテンツデータを表示する切り替え方法である。
【００５０】
また、情報端末２００は、表示制御部２１１、入力受付部２１２、再生制御情報生成部２１３、送信部２１４を有する。
【００５１】
表示制御部２１１は、情報端末２００の出力部２６であるディスプレイ等に、コンテンツデータ２２１の識別情報の一覧画面を表示したり、再生コンテンツデータ３３１として選択されたコンテンツデータの識別情報の一覧画面を表示したりする。あるいは、設定項目情報２２２に含まれる各項目の値をユーザに設定させるための設定画面を表示したりする。
【００５２】
なお、本実施形態に係る情報端末２００は、表示制御部２１１として第１表示制御部２１１ａと第２表示制御部２１１ｂとを有する。第１表示制御部２１１ａは、コンテンツデータ２２１の識別情報の一覧画面の表示を制御する。また、第２表示制御部２１１ｂは、再生コンテンツデータ３３１として選択されたコンテンツデータの識別情報の一覧画面の表示を制御する。
【００５３】
更に、表示制御部２１１は、再生コンテンツデータ３３１として選択されたコンテンツデータの識別情報と、再生コンテンツデータ３３１として選択されたコンテンツデータの格納場所を示すパス情報とを対応付けて記録する連結リスト２１６を保持する。
【００５４】
入力受付部２１２は、コンテンツデータ２２１の識別情報の一覧画面においてコンテンツデータ２２１を選択するための選択操作を受け付ける。本実施形態では、情報端末２００の当該一覧画面に対する選択操作を介して選択されたコンテンツデータ２２１が、表示装置３００で再生される再生コンテンツデータ３３１として、表示装置３００へと送信される。また、入力受付部２１２は、設定項目情報２２２に含まれる各項目の値を設定させるための設定画面を介して、ユーザからの設定値の入力を受け付ける。
【００５５】
再生制御情報生成部２１３は、再生コンテンツデータに含まれる情報に基づき、再生制御情報３３２を生成する。具体的には、再生制御情報生成部２１３では、再生制御情報３３２に含まれる各項目と、各項目に設定された設定値とを対応付けた設定テーブル２１５を保持しており、設定テーブル２１５を参照しながら所定のフォーマットに従って再生制御情報３３２を生成する。
【００５６】
設定項目情報２２２に含まれる各項目（項目"Ｏｒｄｅｒ"、"Ｔｉｍｅ"、"Ｅｆｆｅｃｔ"等）は、再生制御情報３３２に含まれる各項目の一部である。すなわち、再生制御情報３３２には、設定項目情報２２２に含まれる各項目に対して、設定画面を介してユーザが入力した設定値が含まれる。
【００５７】
送信部２１４は、再生コンテンツデータ３３１と、生成された再生制御情報３３２とを表示装置３００に送信する。
【００５８】
表示装置３００は、保存制御部３１１、検証部３１２、通知部３１３を有する。また、表示装置３００は、表示部３６に対する表示を制御する表示制御部３２０を有する。
【００５９】
さらに、表示装置３００は、情報端末２００から送信された再生コンテンツデータ３３１と再生制御情報３３２とを格納する記憶領域３３０を有する。
【００６０】
保存制御部３１１は、情報端末２００から受信した再生コンテンツデータ３３１と再生制御情報３３２とを記憶領域３３０に格納する。また、保存制御部３１１は、情報端末２００から再生コンテンツデータ３３１の再生指示を受けると、再生制御情報３３２に含まれる各項目の設定値を表示装置３００に設定する。
【００６１】
検証部３１２は、再生コンテンツデータ３３１が表示装置３００において再生可能か否かを検証する。通知部３１３は、検証部３１２による検証結果を情報端末２００に通知する。
【００６２】
＜再生システムにおける再生処理の流れ＞
次に図５を参照して、再生システム１００の動作を説明する。図５は、再生システム１００の動作を説明するシーケンス図である。
【００６３】
情報端末２００では、ユーザより、コンテンツデータ２２１の識別情報の一覧表示の要求を受けると（ステップＳ５０１）、第１表示制御部２１１ａが、格納されたコンテンツデータ２２１の識別情報の一覧画面を表示する。また、第２表示制御部２１１ｂが、再生コンテンツデータとして選択されるコンテンツデータの識別情報を一覧表示するための画面を表示する（ステップＳ５０２）。なお、格納されるコンテンツデータ２２１の識別情報を一覧表示するための画面及び再生コンテンツデータとして選択されるコンテンツデータの識別情報を一覧表示するための画面の詳細は後述する。
【００６４】
続いて情報端末２００では、入力受付部２１２が、コンテンツデータ２２１を選択するための選択操作を受け付ける（ステップＳ５０３）。なお、入力受付部２１２が受け付けた選択操作により選択されたコンテンツデータは、第２表示制御部２１１ｂにより、その識別情報が一覧表示される。
【００６５】
本実施形態に係る情報端末２００では、ユーザがコンテンツデータ２２１を選択するための選択操作を終了するまでステップＳ５０３の処理を繰り返す。ステップＳ５０３で選択されたコンテンツデータ２２１は、情報端末２００において再生コンテンツデータ３３１として認識される。
【００６６】
続いて情報端末２００では、表示制御部２１１が、設定項目情報２２２を参照し、設定項目情報２２２に含まれる項目の設定画面を表示する（ステップＳ５０４）。
【００６７】
続いて情報端末２００では、入力受付部２１２が、設定画面を介してユーザにより入力された各項目の設定値を受け付ける（ステップＳ５０５）。入力された各項目の設定値は、設定テーブル２１５において、該当する項目と対応付けて保持される。設定項目情報２２２に含まれる各項目は、前述した通りである。
【００６８】
続いて情報端末２００では、ユーザより、再生コンテンツデータ３３１の再生要求を受け付けると（ステップＳ５０６）、再生制御情報生成部２１３が、再生制御情報３３２を生成する（ステップＳ５０７）。具体的には、ユーザより再生要求を受け付けると、再生制御情報生成部２１３が、設定テーブル２１５に格納された各項目の設定値を所定のフォーマットに代入することで再生制御情報３３２を生成する。
【００６９】
続いて情報端末２００では、送信部２１４が、再生制御情報３３２を表示装置３００に送信する（ステップＳ５０８）。
【００７０】
表示装置３００では、情報端末２００から再生制御情報３３２を受信すると、保存制御部３１１が、再生制御情報３３２を記憶領域３３０に格納する（ステップＳ５０９）。
【００７１】
続いて情報端末２００では、送信部２１４が、再生コンテンツデータ３３１を表示装置３００に送信する（ステップＳ５１０）。
【００７２】
表示装置３００では、保存制御部３１１が、受信した再生コンテンツデータ３３１を記憶領域３３０に格納する（ステップＳ５１１）。
【００７３】
続いて表示装置３００では、通知部３１３が、記憶領域３３０への再生コンテンツデータ３３１の格納（アップロード）を完了したことを情報端末２００へ通知する（ステップＳ５１２）。
【００７４】
情報端末２００では、この通知を受けると、表示装置３００に対して再生コンテンツデータ３３１の再生指示を送信する（ステップＳ５１３）。表示装置３００では、情報端末２００からの再生指示を受信すると、再生制御情報３３２に従った再生コンテンツデータ３３１の再生が実行されるよう、再生制御情報３３２に含まれる各項目の設定値を表示装置３００内に設定する。
【００７５】
また、表示装置３００では、再生指示を受信すると、検証部３１２が、再生制御情報３３２に従った再生コンテンツデータ３３１の再生を実行することができるか否かを検証する（ステップＳ５１４）。
【００７６】
ここで、検証部３１２による検証について説明する。検証部３１２では、再生制御情報３３２を参照し、再生制御情報３３２が表示装置３００により読取可能なフォーマットであるか否かを検証する。また、検証部３１２では、再生制御情報３３２を参照し、例えば、項目"Ｖｅｒｓｉｏｎ"の値が表示装置３００と対応しているか、また再生制御情報３３２に各コンテンツデータ２２１のパス情報が含まれているか否か等の検証を行う。
【００７７】
通知部３１３は、検証部３１２による検証結果を情報端末２００に通知する（ステップＳ５１５）。具体的には、再生コンテンツデータ３３１が再生可能であることが検証された場合、通信が成功したことを情報端末２００に通知する。通知部３１３からの通知を受信すると、情報端末２００では、通知結果を表示する（ステップＳ５１６）。
【００７８】
また、通知部３１３では、再生コンテンツデータ３３１の再生が実行不可能であることが検証された場合、通信に失敗したことを情報端末２００に通知する。再生が実行不可能である場合とは、例えば、再生制御情報３３２が表示装置３００では読み取れないフォーマットであった場合や、Ｖｅｒｓｉｏｎが表示装置３００と対応していない場合等が挙げられる。あるいは、再生制御情報３３２に、コンテンツデータ２２１のパス情報が含まれていない場合等が挙げられる。
【００７９】
表示装置３００では、例えば通信に失敗した場合に、再生コンテンツデータ３３１の再送を促すメッセージを情報端末２００に表示させる。情報端末２００では、再生コンテンツデータ３３１を再送する場合、ステップＳ５０４〜ステップＳ５０８までの処理を繰り返す。
【００８０】
ステップＳ５１６に続いて表示装置３００では、再生コンテンツデータ３３１を再生制御情報３３２に従って再生する（ステップＳ５１７）。
【００８１】
このように、再生システム１００によれば、情報端末２００における操作に基づいて、所望の再生コンテンツデータを、所望の設定により表示装置３００にて再生させることができる。
【００８２】
なお、以下では、再生システム１００において実現される上記再生処理のうち、情報端末２００側の処理（特に、ステップＳ５０１〜Ｓ５０３までの処理）について詳説する。上述したように、情報端末２００におけるこれらの処理は、再生制御プログラム２１０により実現されることから、以下では、再生制御プログラム２１０について詳説する。
【００８３】
＜再生制御プログラムのモードの説明＞
はじめに、再生制御プログラム２１０の動作モードについて説明する。図６は、本実施形態に係る再生制御プログラム２１０の動作モード（図５の再生処理のうち、ステップＳ５０１〜Ｓ５０３までの処理に関連する動作モード）を説明するための図である。
【００８４】
図６に示すように、再生制御プログラム２１０の動作モードには、再生コンテンツデータ生成モードと、撮影モードとが含まれる。
【００８５】
再生コンテンツデータ生成モードとは、格納されたコンテンツデータの識別情報を一覧表示するとともに、ユーザからの選択操作を受け付けることで、再生コンテンツデータとして選択されたコンテンツデータの識別情報を一覧表示するモードである。
【００８６】
撮影モードとは、撮影部２９を動作させることで撮影を行い、コンテンツデータを取得するモードである。
【００８７】
なお、再生制御プログラム２１０は、再生コンテンツデータ生成モードによる起動と、撮影モードによる起動とが可能であるとする。いずれの動作モードで起動させるかは、ユーザが予め設定できるよう構成されているものとする。
【００８８】
再生コンテンツデータ生成モードで起動した場合、ユーザにより、撮影モード移行指示が入力されることで撮影モードへと移行する。撮影モード移行指示は、例えば、再生コンテンツデータ生成モードの表示画面において表示される撮影モード移行ボタン（後述）をユーザが押圧することで入力される。
【００８９】
撮影モードに移行した後は、ユーザにより、撮影モード終了指示が入力されるまで撮影モードが継続し、撮影モード終了指示が入力されると、再生コンテンツデータ生成モードへと移行する。撮影モード終了指示は、例えば、撮影モードの表示画面に表示される撮影キャンセルボタン（後述）をユーザが押圧することで入力される。あるいは、撮影モードの表示画面に表示される撮影結果取り扱い指示ボタン（後述）をユーザが選択して押圧することで入力される。
【００９０】
＜再生制御プログラムのユーザインターフェース＞
次に、情報端末２００が再生制御プログラム２１０を実行することによりユーザに提供されるユーザインターフェースについて説明する。図７は、再生制御プログラム２１０が情報端末２００により実行されることで、ユーザに提供されるユーザインターフェース（図５の再生処理のうち、ステップＳ５０１〜Ｓ５０３までの処理に関連するユーザインターフェース）の一例を示す図である。
【００９１】
図７（ａ）は、再生制御プログラム２１０を再生コンテンツデータ生成モードで起動した場合の表示画面の一例を示す図である。
【００９２】
図７（ａ）に示すように、再生コンテンツデータ生成モードにて再生制御プログラム２１０が起動されることで、情報端末２００には、ユーザインターフェースとして、コンテンツデータ２２１を選択し、選択結果を表示するための表示画面７００が表示される。
【００９３】
表示画面７００には、記憶領域２２０に格納されたコンテンツデータ２２１の全部または一部の識別情報（本実施形態では、サムネイル画像）を一覧表示する一覧画面である第１の表示領域７１０が含まれる。更に、第１の表示領域７１０に一覧表示されたサムネイル画像に対する選択操作により選択されたコンテンツデータの識別情報（本実施形態では、サムネイル画像）が一覧表示される一覧画面である第２の表示領域７２０が含まれる。更に、再生コンテンツデータ生成モード中の情報端末２００に対して、各種指示を入力するための操作領域７３０が含まれる。
【００９４】
図７（ａ）の例は、表示画面７００の第１の表示領域７１０に表示されたコンテンツデータ２２１のサムネイル画像群７１１のうち、サムネイル画像７１１ａに対して選択操作が行われたことを示している。選択操作が行われたサムネイル画像７１１ａは、対応するコンテンツデータが再生コンテンツデータ３３１として選択されたことを明示するために、第２の表示領域７２０にコピーされ、選択結果としてのサムネイル画像７２１ａが表示される。また、第１の表示領域７１０のサムネイル画像７１１ａには、対応するコンテンツデータが選択されたことを明示するためのチェックマークが重ねて表示される。
【００９５】
表示装置３００は、第２の表示領域７２０において表示されるサムネイル画像の並び順序に基づいて、対応するコンテンツデータ２２１を再生することができる。図７（ａ）の例では、サムネイル画像７２１ａに対応するコンテンツデータを、表示装置３００にて最初に再生させることができる。
【００９６】
なお、第２の表示領域７２０に表示されるサムネイル画像は、例えば、第１の表示領域７１０において選択操作が行われた操作順序に従って並べられるものとする。ただし、第２の表示領域７２０に表示されるサムネイル画像の並び順は、ユーザが任意に変更することができるものとする。
【００９７】
操作領域７３０には、撮影モードへの移行を指示する撮影モード移行ボタン７３１が配されている。また、表示装置３００に対して再生要求（ステップＳ５０６）を送信するよう指示する再生要求ボタン７３２が配されている。更に、再生制御情報を設定（ステップＳ５０５）するための設定画面を呼び出す設定ボタン７３３が配されている。
【００９８】
一方、図７（ｂ）は、再生制御プログラムを撮影モードで起動した場合の表示画面の一例を示す図である。
【００９９】
図７（ｂ）に示すように、撮影モードにて再生制御プログラム２１０が起動されることで、情報端末２００には、ユーザインターフェースとして、撮影中の画像を表示するとともに、画像の格納を指示する表示画面７００'が表示される。
【０１００】
表示画面７００'には、撮影部２９により撮影中の画像を表示する撮影画像表示領域７５０と、撮影操作に関する指示を入力する指示部が配された撮影操作領域７６０とが含まれる。
【０１０１】
撮影操作領域７６０には、撮影キャンセルボタン７６１と撮影ボタン７６２とが配されている。撮影キャンセルボタン７６１は、撮影モードを終了し再生コンテンツデータ生成モードに移行するためのボタンである。撮影ボタン７６２は、撮影モードに移行することで撮影中の画像を取り込み、記憶領域２２０にコンテンツデータ２２１として格納するためのボタンである。
【０１０２】
＜再生コンテンツデータ生成モードの表示画面の説明＞
次に、再生制御プログラム２１０が実行されることにより表示される表示画面７００について、記憶領域２２０との関係について詳説する。
【０１０３】
図８は、再生コンテンツデータ生成モードにて再生制御プログラム２１０が実行されることにより表示される表示画面７００の表示内容と、記憶領域２２０との関係を示す図である。
【０１０４】
図８（ａ）は、記憶領域２２０に格納されているコンテンツデータ２２１を模式的に示したものである。コンテンツデータ２２１（図中の四角）は、記憶領域２２０内の画像記憶領域８００に格納されている。画像記憶領域８００に格納されているコンテンツデータ２２１の一部には、ユーザの指示に応じたラベルが付与されている（点線で囲まれたコンテンツデータには同じラベルが付与されているものとする）。このため、情報端末２００では、同じ種類のラベルごとにコンテンツデータ２２１を複数のグループに分類し、ユーザにより表示指示されたグループのコンテンツデータのサムネイル画像のみを表示対象として第１の表示領域７１０に表示することができる。
【０１０５】
図８（ａ）の例は、画像記憶領域８００に格納されているコンテンツデータ２２１に対して、"ＡＡＡＡ"から"ＦＦＦＦ"までの６種類のラベルが付与されている。
【０１０６】
なお、情報端末２００では、１つのコンテンツデータに対して、異なる種類の複数のラベルを付与することも可能である。複数のラベルが付与されたコンテンツデータのサムネイル画像は、第１の表示領域７１０への表示指示がなされたそれぞれのグループの表示タイミングにおいて表示されることとなる。
【０１０７】
例えば、コンテンツデータ８０１には、"ＡＡＡＡ"のラベルと"ＢＢＢＢ"のラベルと付与されている。このため、コンテンツデータ８０１のサムネイル画像は、まず、"ＡＡＡＡ"のラベルが付与されたコンテンツデータからなるグループを表示する旨の表示指示がなされたタイミングで、第１の表示領域７１０に表示される。更に、"ＢＢＢＢ"のラベルが付与されたコンテンツデータからなるグループを表示する旨の表示指示がなされたタイミングでも、第１の表示領域７１０に表示される。
【０１０８】
図８（ｂ）は、付与されたラベルに基づいて複数のグループに分類されたコンテンツデータのサムネイル画像の第１の表示領域７１０における表示方法を示す図である。図８（ｂ）に示すように、コンテンツデータ２２１に対して付与されたラベルは、表示画面７００においてアルバム名として表示される。
【０１０９】
換言すると、情報端末２００では、コンテンツデータ２２１にラベルが付与されている場合、第１の表示領域７１０に、アルバム名一覧を表示させることができる。上述したように、図８（ａ）の例では、コンテンツデータ２２１に対して６種類のラベルが付与されているため、アルバム名一覧８１１には、６種類のアルバム名が表示されることとなる（図８（ｂ）左側参照）。
【０１１０】
なお、情報端末２００において、各アルバム名は、ユーザによる表示指示を受け付けることができるよう構成されている。このため、いずれかのアルバム名に対して表示指示がなされると、情報端末２００では、画像記憶領域８００に格納されたコンテンツデータ２２１のうち、当該アルバム名のラベルが付与されたコンテンツデータを表示対象として抽出する。そして、抽出したコンテンツデータを、それぞれサムネイル画像に変換したうえで、第１の表示領域７１０に表示する。なお、第１の表示領域７１０に表示されたサムネイル画像には、対応するコンテンツデータの格納場所を示すパス情報が対応付けられているものとする。
【０１１１】
図８（ｂ）右上側の例は、第１の表示領域７１０に表示されたアルバム名一覧８１１の中から、アルバム名"ＡＡＡＡ"に対して表示指示を入力すべく、ユーザが矢印８２１を押圧した場合を示している。矢印８２１が押圧されることで、情報端末２００では、アルバム名"ＡＡＡＡ"のラベルが付与されているコンテンツデータを表示対象として抽出する。更に、抽出した各コンテンツデータをサムネイル画像に変換したうえで、サムネイル画像群８１２として、第１の表示領域７１０に表示する。
【０１１２】
なお、領域表示部８３１には、第１の表示領域７１０に表示されたサムネイル画像群８１２が、アルバム名"ＡＡＡＡ"のラベルが付与されたコンテンツデータ群に対応するサムネイル画像群であることが明示される。なお、ユーザは、アルバムボタン８３２を押圧することで、第１の表示領域７１０にアルバム名一覧８１１が表示される表示画面７００（図８（ｂ）の左側）に戻ることができる。
【０１１３】
一方、情報端末２００では、第１の表示領域７１０にアルバム名一覧８１１が表示された状態において、画像記憶領域全体ボタン８２２が押圧されることで表示指示が入力されると、図８（ｂ）右下側に示す表示画面に遷移する。
【０１１４】
この場合、情報端末２００では、画像記憶領域８００に格納されている全てのコンテンツデータ２２１を、サムネイル画像に変換し、サムネイル画像群８１３として第１の表示領域７１０に表示する。なお、この場合も、第１の表示領域７１０に表示されたサムネイル画像群８１３には、それぞれ対応するコンテンツデータの格納場所を示すパス情報が対応付けられているものとする。
【０１１５】
画像記憶領域全体ボタン８２２が押圧された状態において、領域表示部８３１には、第１の表示領域７１０に表示されたサムネイル画像群８１３が、画像記憶領域８００に含まれる全てのコンテンツデータ２２１のサムネイル画像群であることが明示される。なお、ユーザは、アルバムボタン８３２を押圧することで、再び、第１の表示領域７１０にアルバム名一覧８１１が表示される表示画面７００（図８（ｂ）左側）に戻ることができる。
【０１１６】
＜再生コンテンツデータ生成モード中の表示画面におけるコンテンツデータの選択操作及び選択解除操作の説明＞
次に、再生コンテンツデータ生成モード中の表示画面７００におけるコンテンツデータの選択操作及び選択解除操作について説明する。図９は、表示画面７００においてコンテンツデータを選択するための選択操作及びコンテンツデータの選択を解除するための選択解除操作を説明するための図である。
【０１１７】
図９（ａ）に示すように、ユーザの表示指示に応じて、第１の表示領域７１０にサムネイル画像が表示されている状態で、ユーザは、いずれかのサムネイル画像に対してタップ操作を行うことで、対応するコンテンツデータを選択することができる。
【０１１８】
タップ操作による選択操作がなされたサムネイル画像は、対応付けられたパス情報とともにコピーされ、選択結果として第２の表示領域７２０に表示される。このように、第２の表示領域７２０に、当該選択操作が行われたサムネイル画像が表示されることで、ユーザは、当該サムネイル画像に対応するコンテンツデータが、再生コンテンツデータとして選択されたことを確認することができる。なお、情報端末２００では、第１の表示領域７１０に表示されている当該サムネイル画像にもチェックマークを重ねて表示する。このため、ユーザは、当該チェックマークによっても、当該サムネイル画像に対応するコンテンツデータが、再生コンテンツデータとして選択されていることを確認することができる。
【０１１９】
一方、図９（ｂ）に示すように、第２の表示領域７２０に選択結果としてのサムネイル画像が表示されている状態において、第１の表示領域７１０の対応するサムネイル画像に対して、再度、タップ操作を行うことで、選択を解除することができる。
【０１２０】
選択が解除されると、第２の表示領域７２０に表示されていたサムネイル画像が削除される。また、第１の表示領域７１０に表示されていた、対応するサムネイル画像のチェックマークも削除される。これにより、ユーザは、当該サムネイル画像に対応する再生コンテンツデータの選択が解除され、再生コンテンツデータではなくなったことを確認することができる。
【０１２１】
このように、本実施形態に係る情報端末２００では、第１の表示領域７１０に表示されたサムネイル画像に対する１回のタップ操作により、対応するコンテンツデータを選択し、もう一度のタップ操作により、当該選択を解除することができる。
【０１２２】
つまり、本実施形態に係る情報端末２００では、第１の表示領域７１０に表示されたサムネイル画像に対するタップ操作を、選択操作または選択解除操作として認識する。
【０１２３】
＜再生コンテンツデータ生成モード時の第１の表示領域の表示制御処理の流れ＞
次に、再生制御プログラム２１０の第１表示制御部２１１ａによる、再生コンテンツデータ生成モード時の第１の表示領域７１０の表示制御処理について説明する。図１０は、再生制御プログラム２１０の第１表示制御部２１１ａによる、再生コンテンツデータ生成モード時の第１の表示領域７１０の表示制御処理の流れを示すフローチャートである。
【０１２４】
再生制御プログラム２１０が再生コンテンツデータ生成モードで起動されることで、図１０に示すフローチャートが実行される。ステップＳ１００１では、デフォルトの表示対象を識別する。本実施形態では、デフォルトの表示対象として、画像記憶領域８００が設定されているものとする。このため、ステップＳ１００１では、デフォルトの表示対象として、画像記憶領域８００を識別する。
【０１２５】
ステップＳ１００２では、ステップＳ９０１において識別された表示対象について、コンテンツデータを読み出す。本実施形態では、画像記憶領域８００に格納されているコンテンツデータ２２１を読み出す。
【０１２６】
ステップＳ１００３では、ステップＳ１００２において読み出したコンテンツデータ２２１をサムネイル画像に変換するとともに、コンテンツデータ２２１のパス情報を、当該サムネイル画像に対応付ける。
【０１２７】
ステップＳ１００４では、第１の表示領域７１０に、ステップＳ１００３において生成されたサムネイル画像を表示する。ステップＳ１００５では、ユーザにより、他の表示対象を表示すべき旨の表示指示が入力されたか否かを判定する。具体的には、特定のアルバム名に対する表示指示が入力されたか否か、画像記憶領域全体ボタン８２２が押圧されたか否かを判定する。
【０１２８】
ステップＳ１００５において、他の表示対象を表示すべき旨の表示指示が入力されたと判定された場合には、ステップＳ１０１２に進み、表示指示に応じた表示対象を識別する。その後、ステップＳ１００２に戻り、識別した表示対象のコンテンツデータを読み出す。例えば、特定のアルバム名のラベルが付与されたコンテンツデータを読み出す。
【０１２９】
一方、ステップＳ１００５において、他の表示対象を表示すべき旨の表示指示が入力されていないと判定された場合には、ステップＳ１００６に進む。ステップＳ１００６では、第１の表示領域７１０に表示されたサムネイル画像に対して、選択操作が行われたか否かを判定する。
【０１３０】
ステップＳ１００６において、選択操作が行われていないと判定された場合には、ステップＳ１００５に戻る。一方、ステップＳ１００６において、選択操作が行われたと判定された場合には、ステップＳ１００７に進み、当該選択操作により選択されたコンテンツデータを識別する。
【０１３１】
ステップＳ１００８では、ステップＳ１００７において識別されたコンテンツデータのサムネイル画像をコピーし、パス情報とともに、第２の表示領域７２０を制御する第２表示制御部２１１ｂに送信する。
【０１３２】
ステップＳ１００９では、第１の表示領域７１０に表示されたサムネイル画像に対して、選択解除操作が行われたか否かを判定する。ステップＳ１００９において、選択解除操作が行われていないと判定された場合には、ステップＳ１００５に戻る。
【０１３３】
一方、ステップＳ１００９において、選択解除操作が行われたと判定された場合には、ステップＳ１０１０に進み、当該選択を解除すべきコンテンツデータを識別する。更に、識別したコンテンツデータのサムネイル画像に重ねて表示されたチェックマークを削除する。
【０１３４】
ステップＳ１０１１では、ステップＳ１０１０において識別されたコンテンツデータについて選択が解除されたことを、第２表示制御部２１１ｂに通知する。
【０１３５】
以降、表示対象を変更する表示指示が入力されるごとに、対応するコンテンツデータのサムネイル画像を第１の表示領域７１０に表示する。また、選択操作によりコンテンツデータが選択されるごとに、対応するサムネイル画像をコピーし、パス情報とともに、第２表示制御部２１１ｂに送信する。更に、選択解除操作が行われるごとに、第２表示制御部２１１ｂに通知する。
【０１３６】
＜再生コンテンツデータ生成モード時の第２の表示領域の表示制御処理の流れ＞
次に、再生制御プログラム２１０の第２表示制御部２１１ｂによる、再生コンテンツデータ生成モード時の第２の表示領域７２０の表示制御処理について説明する。図１１は、再生制御プログラム２１０の第２表示制御部２１１ｂによる、再生コンテンツデータ生成モード時の第２の表示領域７２０の表示制御処理の流れを示すフローチャートである。
【０１３７】
再生制御プログラム２１０が再生コンテンツデータ生成モードで起動されることで、図１１に示すフローチャートが実行される。ステップＳ１１０１では、連結リスト２１６を読み出す。上述したように、連結リスト２１６には、再生コンテンツデータとして選択されたコンテンツデータのサムネイル画像とパス情報とが記録されている。また、連結リスト２１６に記録されたサムネイル画像及びパス情報は、再生制御プログラム２１０の終了または起動によらず、また、情報端末２００の電源のＯＮ／ＯＦＦによらず維持される。
【０１３８】
このため、ステップＳ１１０１において、連結リスト２１６を読み出すことで、再生制御プログラム２１０の前回の終了直前に選択されていた再生コンテンツデータのサムネイル画像を読み出すことができる。
【０１３９】
ステップＳ１１０２では、第２の表示領域７２０に、ステップＳ１１０１において読み出したサムネイル画像を表示する。
【０１４０】
ステップＳ１１０３では、第１表示制御部２１１ａより、サムネイル画像及びパス情報が送信されたか否かを判定する。ステップＳ１１０３において、サムネイル画像及びパス情報が送信されていないと判定された場合には、ステップＳ１１０６に進む。
【０１４１】
一方、ステップＳ１１０３において、第１表示制御部２１１ａより、サムネイル画像及びパス情報が送信されたと判定された場合には、ステップＳ１１０４に進み、受信したサムネイル画像を選択結果として第２の表示領域７２０に表示する。
【０１４２】
ステップＳ１１０５では、ステップＳ１１０３において受信したサムネイル画像及びパス情報を連結リスト２１６に追加することにより、当該連結リスト２１６を更新する。
【０１４３】
ステップＳ１１０６では、第１表示制御部２１１ａからの通知に基づいて、ユーザにより選択解除操作が行われたか否かを判定する。ステップＳ１１０６において、選択解除操作が行われていないと判定された場合には、ステップＳ１１０３に戻る。一方、ステップＳ１１０６において、選択解除操作が行われたと判定された場合には、ステップＳ１１０７に進み、選択を解除すべきコンテンツデータを識別する。
【０１４４】
ステップＳ１１０８では、ステップＳ１１０７において識別したコンテンツデータに対応するサムネイル画像を、第２の表示領域７２０より削除する。更に、ステップＳ１１０９では、当該サムネイル画像及び対応するパス情報を、連結リスト２１６から削除することにより、当該連結リスト２１６を更新する。
【０１４５】
以降、再生コンテンツデータ生成モードが継続している間、ステップＳ１１０３からステップＳ１１０９までの処理を繰り返す。
【０１４６】
＜動作モードの移行に伴う表示画面の遷移＞
次に、再生コンテンツデータ生成モードと撮影モードとの間の動作モードの移行に伴う表示画面の遷移について説明する。図１２は、再生コンテンツデータ生成モードと撮影モードとの間の動作モードの移行に伴う表示画面７００、７００'の遷移を示す図である。
【０１４７】
図１２において、上段は、再生コンテンツデータ生成モードにて再生制御プログラム２１０が実行されている状態の表示画面７００を示している。再生コンテンツデータ生成モード中の表示画面７００の操作領域７３０には撮影モード移行ボタン７３１が配されており、ユーザにより、撮影モード移行ボタン７３１が押圧されると、撮影モードへと移行し、撮影部２９による撮影を開始する。
【０１４８】
図１２において、中段左側は、撮影モードに移行した直後に表示される表示画面７００'を示している。撮影モードに移行した直後に表示される表示画面７００'の撮影操作領域７６０には、撮影キャンセルボタン７６１と撮影ボタン７６２とが配されている。
【０１４９】
ここで、撮影モード終了指示を入力するための撮影キャンセルボタン７６１がユーザにより押圧されると、撮影モードが終了し再生コンテンツデータ生成モードへと戻る（図１２の上段）。一方、撮影ボタン７６２が押圧されると、撮影部２９により撮影中の画像を取り込む。
【０１５０】
図１２の中段右側は、撮影ボタン７６２が押圧された後の状態を示している。撮影ボタン７６２が押圧されることで、撮影画像表示領域７５０には、取り込まれた画像が表示される。また、撮影操作領域７６０には、再撮影を指示するための再撮影ボタン１２０１と、取り込まれた画像をコンテンツデータ２２１として画像記憶領域８００に格納するか否かを指示するための撮影結果取り扱い指示ボタンである、使用ボタン１２０２が表示される。
【０１５１】
再撮影ボタン１２０１が押圧されると、図１２の中段左側の状態に戻り、撮影ボタン７６２を再度押圧することで、画像の取り込みを行うことができる。
【０１５２】
一方、使用ボタン１２０２が押圧された後、取り込まれた画像をコンテンツデータ２２１として画像記憶領域８００に格納することが指示されると、取り込まれた画像がコンテンツデータとして画像記憶領域８００に新たに格納される。更に、撮影モードが終了し再生コンテンツデータ生成モードへと移行することで、図１２の下段左側の表示画面７００が表示される。
【０１５３】
ここで、画像記憶領域８００に新たにコンテンツデータが格納されると、当該新たに格納されたコンテンツデータは、ユーザの指示がなくても、自動的に、サムネイル画像に変換される。更に、コンテンツデータの格納場所を示すパス情報が生成され、サムネイル画像とともに連結リスト２１６に記録される。
【０１５４】
この結果、図１２の下段左側の表示画面７００に示すように、新たに格納されたコンテンツデータのサムネイル画像（"α"と表示されたサムネイル画像）が、第２の表示領域７２０に表示される。このように、再生コンテンツデータ生成モード中に撮影モードへと切り替えられた後、撮影された画像が取り込まれ、コンテンツデータとして格納された場合には、当該コンテンツデータは、自動的に、再生コンテンツデータとして選択されることとなる。これは、再生コンテンツデータ生成モード中に新たに格納されたコンテンツデータは、再生コンテンツデータとして利用する可能性の高いコンテンツデータだからである。
【０１５５】
なお、画像記憶領域８００に新たにコンテンツデータが格納された場合、第１の表示領域７１０には、画像記憶領域８００全体のコンテンツデータのサムネイル画像群が表示されることとなる。
【０１５６】
このとき第１の表示領域７１０に表示されるコンテンツデータのサムネイル画像群には、新たに格納されたコンテンツデータのサムネイル画像も含まれる。なお、当該コンテンツデータは、既に再生コンテンツデータとして選択されているため、当該コンテンツデータのサムネイル画像には、チェックマークが重ねて表示される。
【０１５７】
なお、情報端末２００の場合、図１２の下段左側に示すように、第１の表示領域７１０に表示される、新たに格納されたコンテンツデータのサムネイル画像は、第１の表示領域７１０に表示されるコンテンツデータのサムネイル画像群の末端位置に配置される。更に、コンテンツデータのサムネイル画像群の末端位置が、第１の表示領域７１０において視認できない位置であった場合には、第１の表示領域７１０において視認できる位置まで、サムネイル画像群が自動的にスクロールされる。
【０１５８】
これにより、ユーザは、撮影ボタン７６２を押圧することで取り込まれた画像が、画像記憶領域８００に格納されたことを確実かつ簡単に確認することができる。
【０１５９】
同様に、再生コンテンツデータとして自動的に選択された、新たに格納されたコンテンツデータのサムネイル画像も、第２の表示領域７２０に表示される再生コンテンツデータのサムネイル画像群の末端位置に配置される。更に、再生コンテンツデータのサムネイル画像群の末端位置が、第２の表示領域７２０において視認できない位置であった場合には、第２の表示領域７２０において視認できる位置まで、サムネイル画像群が自動的にスクロールされる。
【０１６０】
一方、図１２の中段右側において、使用ボタン１２０２が押圧された後、取り込まれた画像をコンテンツデータ２２１として画像記憶領域８００に格納しない旨の指示がなされた場合、再生コンテンツデータ生成モードに移行する。この場合、図１２の下段右側の表示画面７００が表示される。
【０１６１】
図１２の下段右側に示すように、画像記憶領域８００に新たにコンテンツデータが格納されることなく撮影モードから再生コンテンツデータ生成モードへと移行した場合には、撮影モードに移行した際の表示画面（図１２の上段）と同じ表示画面に戻る。
【０１６２】
図１２の例では、撮影モードへの移行前に、アルバム名"ＡＡＡＡ"のラベルが付与されたコンテンツデータのサムネイル画像群が第１の表示領域７１０に表示されていた。このため、再生コンテンツデータ生成モードに戻った後も、アルバム名"ＡＡＡＡ"のラベルが付与されたコンテンツデータのサムネイル画像群が第１の表示領域７１０に表示されることとなる。
【０１６３】
また、撮影モードへの移行前には、２つのコンテンツデータが再生コンテンツデータとして選択されており、第２の表示領域７２０には、対応する２つのサムネイル画像が表示されていた。このため、再生コンテンツデータ生成モードに戻った後も、第２の表示領域７２０には当該２つのサムネイル画像が表示されることとなる。
【０１６４】
＜撮影モード終了時の第１の表示領域の表示制御処理の流れ＞
次に、第１表示制御部２１１ａによる、撮影モード終了時の第１の表示領域の表示制御処理の流れについて説明する。図１３は、第１表示制御部２１１ａによる、撮影モード終了時の第１の表示領域７１０の表示制御処理の流れを示すフローチャートである。
【０１６５】
撮影モードにおいて使用ボタン１２０２が押圧されると、第１表示制御部２１１ａでは、図１３に示す表示制御処理を開始する。ステップＳ１３０１では、画像記憶領域８００に今回の撮影モード中に新たにコンテンツデータが格納されたか否かを判定する。
【０１６６】
ステップＳ１３０１において、画像記憶領域８００に新たにコンテンツデータが格納されていないと判定された場合には、ステップＳ１３０５に進む。ステップＳ１３０５では、撮影モードへの移行前の表示状態に戻り（図１２の下段右側の第１の表示領域７１０参照）、処理を終了する。
【０１６７】
一方、ステップＳ１３０１において、画像記憶領域８００に新たにコンテンツデータが格納されたと判定された場合には、ステップＳ１３０２に進む。ステップＳ１３０２では、画像記憶領域８００に新たに格納されたコンテンツデータをサムネイル画像に変換するとともに、当該コンテンツデータの格納場所を示すパス情報を生成する。
【０１６８】
更に、ステップＳ１３０３では、画像記憶領域８００全体のコンテンツデータのサムネイル画像群の末端位置に、新たに生成したサムネイル画像を連結する。また、ステップＳ１３０４では、当該連結したサムネイル画像を含む、画像記憶領域８００全体のサムネイル画像群を、第１の表示領域７１０に表示する（図１２の下段左側の第１の表示領域７１０参照）。
【０１６９】
このように、使用ボタン１２０２が押圧されると、自動的に再生コンテンツデータ生成モードへと移行し、第１の表示領域７１０のサムネイル画像群の末端位置に追加されたコンテンツデータのサムネイル画像が追加表示される。このため、ユーザは、コンテンツデータが、画像記憶領域８００内に格納されたことを直ちに確認することができる。
【０１７０】
なお、このとき、新たに追加されたサムネイル画像が、第１の表示領域７１０において視認されるように、第１表示制御部２１１ａでは、画像記憶領域８００全体のサムネイル画像群をスライドさせる。このため、ユーザは、追加されたサムネイル画像を、第１の表示領域７１０において見つけ出す手間を省くことができる。
【０１７１】
＜撮影モード終了時の第２の表示領域の表示制御処理の流れ＞
次に、第２表示制御部２１１ｂによる、撮影モード終了時の第２の表示領域の表示制御処理の流れについて説明する。図１４は、第２表示制御部２１１ｂによる、撮影モード終了時の第２の表示領域７２０の表示制御処理の流れを示すフローチャートである。
【０１７２】
撮影モードにおいて使用ボタン１２０２が押圧されると、第２表示制御部２１１ｂでは、図１４に示す表示制御処理を開始する。ステップＳ１４０１では、画像記憶領域８００に今回の撮影モード中に新たにコンテンツデータが格納されたか否かを判定する。
【０１７３】
ステップＳ１４０１において、画像記憶領域８００に新たにコンテンツデータが格納されていないと判定された場合には、ステップＳ１４０５に進む。ステップＳ１４０５では、撮影モードへの移行前の表示状態に戻り（図１２の下段右側の第２の表示領域７２０参照）、処理を終了する。
【０１７４】
一方、ステップＳ１４０１において、画像記憶領域８００に新たにコンテンツデータが格納されたと判定された場合には、ステップＳ１４０２に進む。ステップＳ１４０２では、画像記憶領域８００に新たに格納されたコンテンツデータをサムネイル画像に変換するとともに、当該コンテンツデータの格納場所を示すパス情報を生成する。
【０１７５】
更に、ステップＳ１４０３では、再生コンテンツデータとして選択されているコンテンツデータのサムネイル画像群の末端位置に、新たに生成したサムネイル画像を連結する。また、ステップＳ１４０４では、当該連結したサムネイル画像を含むサムネイル画像群を、第２の表示領域７２０に選択結果として表示する（図１２の下段左側の第２の表示領域７２０参照）。
【０１７６】
このように、使用ボタン１２０２が押圧されると、自動的に再生コンテンツデータ生成モードへと移行し、第２の表示領域７２０のサムネイル画像群の末端位置に追加されたコンテンツデータのサムネイル画像が追加表示される。このため、ユーザは、追加されたコンテンツデータが、再生コンテンツデータとして選択されたことを直ちに確認することができる。
【０１７７】
なお、このとき、新たに追加されたサムネイル画像が、第２の表示領域７２０において視認されるように、第２表示制御部２１１ａでは、再生コンテンツデータとして選択されたコンテンツデータのサムネイル画像群をスライドさせる。このため、ユーザは、追加されたサムネイル画像を、第２の表示領域７２０において見つけ出す手間を省くことができる。
【０１７８】
＜まとめ＞
以上の説明から明らかなように、本実施形態に係る再生システム１００では、
・情報端末２００にて実行される再生制御プログラムにおいて、ユーザがコンテンツデータを選択する再生コンテンツデータ生成モードと、ユーザが撮影を行いコンテンツデータを取得する撮影モードとが含まれる構成とした。
・再生コンテンツデータ生成モード中に撮影モードに移行することができるよう、再生コンテンツデータ生成モードの表示画面に、撮影モードへの移行を指示する撮影モード移行ボタン７３１を設ける構成とした。
・撮影モードにおいて撮影したコンテンツデータを画像記憶領域８００に格納する指示が入力された場合に、直ちに撮影モードから再生コンテンツデータ生成モードへと戻る構成とした。
・撮影モードにおける撮影により、画像記憶領域８００に新たにコンテンツデータが格納された場合、当該コンテンツデータを再生コンテンツデータとして自動的に選択し、当該コンテンツデータのサムネイル画像を、第２の表示領域７２０に表示する構成とした。
・新たに格納されたコンテンツデータのサムネイル画像を第２の表示領域７２０に表示するにあたっては、再生コンテンツデータとして既に選択されているコンテンツデータのサムネイル画像群の末端位置に連結する構成とした。
・末端位置に連結したサムネイル画像が第２の表示領域７２０において視認されるよう、サムネイル画像群を第２の表示領域７２０内においてスライドさせる構成とした。
・撮影モードにおける撮影により、画像記憶領域８００に新たにコンテンツデータが格納された場合には、第１の表示領域７１０に、画像記憶領域８００のコンテンツデータのサムネイル画像群を表示する構成とした。
・新たに格納されたコンテンツデータのサムネイル画像を第１の表示領域７１０に表示するにあたっては、画像記憶領域８００のコンテンツデータのサムネイル画像群の末端位置に連結する構成とした。
・末端位置に連結したサムネイル画像が第１の表示領域７１０において視認されるよう、サムネイル画像群を第１の表示領域７１０内においてスライドさせる構成とした。
【０１７９】
これにより、再生コンテンツデータの生成に際して、新たにコンテンツデータを撮影した場合であっても、ユーザは、当該コンテンツデータが、再生コンテンツデータとして選択されたことを直ちに確認することができる。加えて、当該コンテンツデータが、画像記憶領域８００内に格納されたことも直ちに確認することができる。
【０１８０】
つまり、ユーザにとっては、再生対象のコンテンツデータを特定するリストを生成する際の利便性が向上する。
【０１８１】
［第２の実施形態］
上記第１の実施形態では、撮影モードにおいて撮影ボタン７６２が押圧されることで取り込まれた後、画像記憶領域８００に格納されたコンテンツデータを、再生コンテンツデータとして、自動的に選択する構成としたが、本発明はこれに限定されない。例えば、再生コンテンツデータとして選択するか否かを、ユーザの指示に基づいて決定する構成としてもよい。以下、本実施形態の詳細について説明する。
【０１８２】
＜撮影モード終了時の表示画面の遷移＞
図１５は、撮影モード終了時の表示画面７００'の遷移を示す図である。図１５（ａ）は、撮影モードにおいて撮影ボタン７６２が押圧された後の状態を示している（図１２の中段右側の状態と同じ図である）。
【０１８３】
図１５（ａ）に示す状態で、使用ボタン１２０２が押圧されると、情報端末２００では、撮影ボタン７６２が押圧されたことで取り込まれた画像を、画像記憶領域８００に格納するか否かの問い合わせメッセージ１５００を表示する（（ｂ）参照）。
【０１８４】
問い合わせメッセージ１５００に対して、"はい"ボタン１５０１が押圧されると、取り込まれた画像をコンテンツデータとして画像記憶領域８００に格納する。更に、図１５（ｃ）に示すように、画像記憶領域８００に新たに格納されたコンテンツデータを、再生コンテンツデータとして選択するか否かの問い合わせメッセージ１５１０を表示する。
【０１８５】
問い合わせメッセージ１５１０に対して、"はい"ボタン１５１１が押圧されると、図１５（ｄ）に移行する（つまり、"はい"ボタン１５１１は、撮影モード終了指示を入力するための撮影結果取り扱い指示ボタンとして機能する）。
【０１８６】
具体的には、画像記憶領域８００に新たに格納されたコンテンツデータを再生コンテンツデータとして自動的に選択する。更に、当該新たに格納されたコンテンツデータをサムネイル画像に変換するとともに、パス情報を生成する。
【０１８７】
更に、生成したサムネイル画像を、画像記憶領域８００全体のコンテンツデータのサムネイル画像群の末端位置に連結し、再生コンテンツデータ生成モードの第１の表示領域７１０において、視認可能に表示する。また、再生コンテンツデータとして選択されているコンテンツデータのサムネイル画像群に連結し、再生コンテンツデータ生成モードの第２の表示領域７２０において、視認可能に表示する。なお、図１５（ｄ）は、図１２の下段左側と同じ表示画面である。
【０１８８】
一方、問い合わせメッセージ１５００に対して、"いいえ"ボタン１５０２が押圧されると、取り込まれた画像を画像記憶領域８００に格納することなく、撮影モードを終了する。この場合、図１５（ｅ）に示すように、撮影モードに移行前の表示状態（図１２の上段）に戻る（つまり、"いいえ"ボタン１５１２は、撮影モード終了指示を入力するための撮影結果取り扱い指示ボタンとして機能する）。なお、図１５（ｅ）は、図１２の下段右側の表示画面と同じである。
【０１８９】
また、問い合わせメッセージ１５１０に対して、"いいえ"ボタン１５１２が押圧されると、取り込まれた画像はコンテンツデータとして画像記憶領域８００には格納されるが、
再生コンテンツデータとして自動的に選択されることなく撮影モードを終了する。
【０１９０】
この場合、図１５（ｅ）に示すように、撮影モードに移行前の表示状態（図１２の上段）に戻る（つまり、"いいえ"ボタン１５０２は、撮影モード終了指示を入力するための撮影結果取り扱い指示ボタンとして機能する）。ただし、画像記憶領域８００には、新たにコンテンツデータが格納されているため、画像記憶領域全体ボタン８２２（図１５において不図示）を押圧することで、当該コンテンツデータのサムネイル画像を第１の表示領域７１０上で確認することができる。
【０１９１】
＜まとめ＞
このように、問い合わせメッセージ１５００、１５１０を表示し、取り込まれた画像の取り扱い指示をユーザに入力させることで、
・取り込まれた画像を、画像記憶領域８００にコンテンツデータとして格納し、かつ、再生コンテンツデータとして選択する場合、
・取り込まれた画像を、画像記憶領域８００にコンテンツデータとして格納するが、再生コンテンツデータとしては選択しない場合、
・取り込まれた画像を、画像記憶領域８００にコンテンツデータとして格納しない場合、
のいずれかの処理を選択的に実行することが可能となる。
【０１９２】
なお、本実施形態及び上記第１の実施形態では、新たに格納されたコンテンツデータを再生コンテンツデータとして選択する場合に、第１の表示領域７１０に、画像記憶領域８００全体のコンテンツデータのサムネイル画像群を表示することとした。しかしながら、本発明はこれに限定されず、例えば、第１の表示領域７１０は、撮影モードに移行する前の状態に戻すように構成してもよい。この場合、第２の表示領域７２０には、新たに格納されたコンテンツデータのサムネイル画像が表示されるが、第１の表示領域７１０には、新たに格納されたコンテンツデータのサムネイル画像は表示されない。ただし、この場合も、一時的に、第１の表示領域７１０に、新たに格納されたコンテンツデータのサムネイル画像を表示するように構成してもよい。
【０１９３】
［第３の実施形態］
上記第１及び第２の実施形態では、再生コンテンツデータ生成モード中に撮影モードに移行し、当該撮影モードにて撮影された画像を、コンテンツデータとして画像記憶領域８００に新たに格納する場合について説明したが、本発明はこれに限定されない。
【０１９４】
例えば、再生コンテンツデータ生成モード中に、画像記憶領域８００に他の方法により新たにコンテンツデータが格納された場合であっても、同様に処理される。以下、本実施形態の詳細について説明する。
【０１９５】
＜再生コンテンツデータ生成モード中にコンテンツデータが新たに格納された場合の表示画面の遷移＞
はじめに、再生コンテンツデータ生成モード中に新たにコンテンツデータが画像記憶領域８００に格納された場合の表示画面の遷移について説明する。図１６は、再生コンテンツデータ生成モード中に新たにコンテンツデータが画像記憶領域８００に格納された場合の表示画面７００の遷移について説明するための図である。
【０１９６】
図１６（ａ）は、再生コンテンツデータ生成モード中の表示画面７００を示す図である。ここで、図１６（ａ）に示す表示画面７００が表示されている状態で、例えば、外部インターフェース部２４を介して、画像記憶領域８００に、新たにコンテンツデータが格納されたとする。
【０１９７】
この場合、新たに格納されたコンテンツデータに基づいて、サムネイル画像が生成され、第１の表示領域７１０及び第２の表示領域７２０それぞれに当該サムネイル画像が表示される。
【０１９８】
図１６（ｂ）は、再生コンテンツデータ生成モード中に、新たにコンテンツデータが画像記憶領域８００に格納され、第１及び第２の表示領域にそれぞれ当該新たに格納されたコンテンツデータのサムネイル画像が表示された様子を示している。
【０１９９】
＜再生コンテンツデータ生成モード中の第１の表示領域の表示制御処理（割り込み処理）の流れ＞
次に、第１表示制御部２１１ａによる、再生コンテンツデータ生成モード時の第１の表示領域の表示制御処理の流れについて説明する。なお、再生コンテンツデータ生成モード中、第１表示制御部２１１ａでは、基本的に、図９に示すフローチャートに従って第１の表示領域７１０の表示制御処理を実行する。ただし、画像記憶領域８００に新たにコンテンツデータが格納された場合には、図１７に示す処理が、割り込み処理として実行される。
【０２００】
図１７に示すように、ステップＳ１７０１では、画像記憶領域８００に新たにコンテンツデータが格納されたか否かを判定する。ステップＳ１７０１において、画像記憶領域８００に新たにコンテンツデータが格納されていないと判定された場合には、新たにコンテンツデータが格納されるまで待機する。
【０２０１】
一方、ステップＳ１７０１において、新たにコンテンツデータが格納されたと判定された場合には、ステップＳ１７０２に進む。ステップＳ１７０２では、画像記憶領域８００に新たに格納されたコンテンツデータをサムネイル画像に変換するとともに、当該コンテンツデータの格納場所を示すパス情報を生成する。
【０２０２】
更に、ステップＳ１７０３では、画像記憶領域８００全体のコンテンツデータのサムネイル画像群の末端位置に、新たに生成したサムネイル画像を連結する。また、ステップＳ１７０４では、当該連結したサムネイル画像を含む、画像記憶領域８００全体のサムネイル画像群を、第１の表示領域７１０に表示する。
【０２０３】
これにより、ユーザは、コンテンツデータが画像記憶領域８００内に新たに格納されたことを直ちに確認することができる。
【０２０４】
なお、このとき、新たに追加されたサムネイル画像が、第１の表示領域７１０において視認されるように、第１表示制御部２１１ａでは、画像記憶領域８００全体のサムネイル画像群をスライドさせる。このため、ユーザは、追加されたサムネイル画像を、第１の表示領域７１０において見つけ出す手間を省くことができる。
【０２０５】
ステップＳ１７０４での処理が終了すると、再び、ステップＳ１７０１に戻り、画像記憶領域８００に新たなコンテンツデータが格納されていないかを監視する。
【０２０６】
＜再生コンテンツデータ生成モード中の第２の表示領域の表示制御処理（割り込み処理）の流れ＞
次に、第２表示制御部２１１ｂによる、再生コンテンツデータ生成モード時の第２の表示処理の表示制御処理の流れについて説明する。なお、再生コンテンツデータ生成モード中、第２表示制御部２１１ｂでは、基本的に、図１０に示すフローチャートに従って第２の表示領域７２０の表示制御処理を実行する。ただし、画像記憶領域８００に新たにコンテンツデータが格納された場合には、図１８に示す処理が、割り込み処理として実行される。
【０２０７】
図１８に示すように、ステップＳ１８０１では、画像記憶領域８００に新たにコンテンツデータが格納されたか否かを判定する。ステップＳ１８０１において、画像記憶領域８００に新たにコンテンツデータが格納されていないと判定された場合には、新たにコンテンツデータが格納されるまで待機する。
【０２０８】
一方、ステップＳ１８０１において、新たにコンテンツデータが格納されたと判定された場合には、ステップＳ１８０２に進む。ステップＳ１８０２では、画像記憶領域８００に新たに格納されたコンテンツデータをサムネイル画像に変換するとともに、当該コンテンツデータの格納場所を示すパス情報を生成する。
【０２０９】
更に、ステップＳ１８０３では、再生コンテンツデータとして既に選択されているコンテンツデータのサムネイル画像群の末端位置に、新たに生成したサムネイル画像を連結する。
【０２１０】
ステップＳ１８０４では、当該連結したサムネイル画像を含む、サムネイル画像群を第２の表示領域７２０に表示する。これにより、ユーザは、追加されたコンテンツデータが、再生コンテンツデータとして選択されたことを直ちに確認することができる。
【０２１１】
なお、このとき、新たに追加されたサムネイル画像が、第２の表示領域７２０において視認されるように、第２表示制御部２１１ｂでは、再生コンテンツデータとして選択されたサムネイル画像群をスライドさせる。このため、ユーザは、追加されたサムネイル画像を、第２の表示領域７２０において見つけ出す手間を省くことができる。
【０２１２】
ステップＳ１８０４での処理が終了すると、再び、ステップＳ１８０１に戻り、画像記憶領域８００に新たなコンテンツデータが格納されていないかを監視する。
【０２１３】
＜まとめ＞
以上の説明から明らかなように、本実施形態に係る再生システム１００では、
・再生コンテンツデータ生成モード中も画像記憶領域８００を監視し、コンテンツデータが新たに格納されたか否かを判定する構成とした。
・再生コンテンツデータ生成モード中に画像記憶領域８００に新たにコンテンツデータが格納されたと判定された場合、当該コンテンツデータを再生コンテンツデータとして自動的に選択し、サムネイル画像を、第２の表示領域７２０に直ちに表示する構成とした。
・新たに格納されたコンテンツデータのサムネイル画像を第２の表示領域７２０に表示するにあたっては、再生コンテンツデータとして既に選択されているコンテンツデータのサムネイル画像群の末端位置に連結する構成とした。
・末端位置に連結したサムネイル画像が第２の表示領域７２０において視認されるよう、サムネイル画像群を第２の表示領域７２０内においてスライドさせる構成とした。
・再生コンテンツデータ生成モード中に画像記憶領域８００に新たにコンテンツデータが格納されたと判定された場合、第１の表示領域７１０に、新たに格納されたコンテンツデータのサムネイル画像を表示する構成とした。
・新たに格納されたコンテンツデータのサムネイル画像を第１の表示領域７１０に表示するにあたっては、画像記憶領域８００に既に格納されているコンテンツデータのサムネイル画像群の末端位置に連結する構成とした。
・末端位置に連結したサムネイル画像が第１の表示領域７１０において視認されるよう、サムネイル画像群を第１の表示領域７１０内においてスライドさせる構成とした。
【０２１４】
これにより、ユーザは、再生コンテンツデータ生成モード中に新たにコンテンツデータが追加された場合であっても、当該追加されたコンテンツデータが再生コンテンツデータとして自動的に選択されたことを直ちに確認することができる。加えて当該追加されたコンテンツデータが、画像記憶領域８００に格納されたことも直ちに確認することができる。
【０２１５】
つまり、ユーザにとっては、再生コンテンツデータを特定するリストを生成する際の利便性が向上する。
【０２１６】
［第４の実施形態］
上記第１乃至第３の実施形態では、画像記憶領域８００に新たに格納されたコンテンツデータのサムネイル画像を第１及び第２の表示領域に表示するにあたり、サムネイル画像の末端位置に連結する構成としたが、本発明はこれに限定されない。例えば、サムネイル画像の先端位置に連結するように構成してもよい。つまり、ユーザにとって視認しやすい、端部位置に連結されるよう構成されていればよい。
【０２１７】
また、上記第１乃至第３の実施形態では、画像記憶領域８００に新たに１つのコンテンツデータが格納される場合について説明したが、本発明はこれに限定されず、例えば、同時に２つのコンテンツデータが新たに画像記憶領域８００に格納される場合も同様である。撮影モードにて撮影中の画像を取り込むにあたり、連写にて画像の取り込みを行った場合には、複数のコンテンツデータが新たに画像記憶領域８００に格納されることとなる。この場合も、複数のコンテンツデータについて、上記第１の実施形態と同様の処理が実行される。
【０２１８】
また、上記第１乃至第３の実施形態では、再生制御プログラム２１０を起動するにあたり、再生コンテンツデータ生成モードと撮影モードのいずれで起動するかを、予めユーザが設定できる構成としたが、本発明はこれに限定されない。例えば、問い合わせメッセージ１５００、１５１０を表示するか否かを、予めユーザが設定できる構成としてもよい。あるいは、サムネイル画像を末端位置に連結するか先端位置に連結するかを、予めユーザが設定できる構成としてもよい。
【０２１９】
また、上記第１乃至第３の実施形態では、画像記憶領域８００に新たに格納されたコンテンツデータのサムネイル画像を第１及び第２の表示領域にそれぞれ表示するにあたり、第１及び第２表示制御部がそれぞれ、サムネイル画像及びパス情報を生成する構成とした。
【０２２０】
しかしながら、本発明はこれに限定されず、第１または第２表示制御部のいずれか一方が、サムネイル画像及びパス情報を生成し、他の表示制御部にそのコピーを送信する構成としてもよい。
【０２２１】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２２２】
１００    再生システム
２００    情報端末
２１０    再生制御プログラム
２２０    記憶領域
２１１    表示制御部
２１１ａ  第１表示制御部
２１１ｂ  第２表示制御部
２１２    入力受付部
２１３    再生制御情報生成部
２１４    送信部
２１５    設定テーブル
２１６    連結リスト
２２１    コンテンツデータ
２２２    設定項目情報
３００    表示装置
３１０    再生プログラム
３２０    表示制御部
３３１    再生コンテンツデータ
３３２    再生制御情報
【先行技術文献】
【特許文献】
【０２２３】
【特許文献１】特開２００５−２７１５９号公報
【図１】
2015035768.tif 000003
【図２】
2015035768.tif 000004
【図３】
2015035768.tif 000005
【図４】
2015035768.tif 000006
【図５】
2015035768.tif 000007
【図６】
2015035768.tif 000008
【図７】
2015035768.tif 000009
【図８】
2015035768.tif 000010
【図９】
2015035768.tif 000011
【図１０】
2015035768.tif 000012
【図１１】
2015035768.tif 000013
【図１２】
2015035768.tif 000014
【図１３】
2015035768.tif 000015
【図１４】
2015035768.tif 000016
【図１５】
2015035768.tif 000017
【図１６】
2015035768.tif 000018
【図１７】
2015035768.tif 000019
【図１８】
2015035768.tif 000020